(57)【要約】【課題】着座式マッサージ機において、臀部を含む上半身下部だけでなく上半身上部に効率的にマッサージ効果を与えることができる構成を提供する。【解決手段】本発明の着座式マッサージ機１０は、基台１１と、該基台の上方に配置され、着座面を有する可動体１２と、前記基台上に搭載され、前記可動体を振動若しくは揺動させる駆動機構１３と、を具備し、前記着座面の左右の斜め後方部分にグリップ部１２ｈがそれぞれ設けられ、該グリップ部は平面視で前記可動体の前後方向より前方部分が外側に開く斜め方向へ伸びることを特徴とする。【選択図】図１
2010046217.tif 000002
【特許請求の範囲】
【請求項１】
基台と、該基台の上方に配置され、着座面を有する可動体と、前記基台上に搭載され、前記可動体を振動若しくは揺動させる駆動機構と、を具備し、
前記着座面の左右の斜め後方部分にグリップ部がそれぞれ設けられ、該グリップ部は平面視で前記可動体の前後方向より前方部分が外側に開く斜め方向へ伸びることを特徴とする着座式マッサージ機。
【請求項２】
前記可動体は前方に配置された回動連結部を介して前記基台に対し回動可能に連結され、
前記駆動機構は、前記可動体の後部を前記回動連結部を中心に往復回動させて上下に振動若しくは揺動させることを特徴とする請求項１に記載の着座式マッサージ機。
【請求項３】
前記グリップ部はそれぞれ前記着座面より上方に配置されることを特徴とする請求項１又は２に記載の着座式マッサージ機。
【発明の詳細な説明】
【技術分野】
【０００１】
本発明は着座式マッサージ機に係り、特に、着座面に腰を下ろした状態で着座面が上下に動作することでマッサージ効果を得るように構成されたマッサージ機に関する。
【背景技術】
【０００２】
一般に、振動や揺動で身体の各所にマッサージ効果を与える各種のマッサージ機が市販されているが、特に、着座面を振動若しくは揺動させることで臀部を中心にマッサージ効果を与えるように意図された着座式マッサージ機が知られている。
【０００３】
例えば、以下の特許文献１には、床面に載置される台座２と、その上方に配置される座部３と、台座２と座部３の間に設けられた揺動手段４とを備えた椅子基体５を具備するマッサージ椅子１が記載されている（図２参照）。この揺動手段４は、上下揺動板１２を複数の下バネ１１で水平に支えるとともに当該上下揺動板１２を上下動させる第１の揺動モータＭ１を設け、また、上下揺動板１２のさらに上方に水平揺動板１４を配置して揺動バネ１３で水平に支えるとともに当該水平揺動板１４を横揺れさせる第２の揺動モータＭ２を設けたものである。
【０００４】
なお、上記と類似の座部を有するマッサージチェアを開示した文献としては以下の特許文献２も存在する。また、床面上に設置された底板１０に対し前方に配置された回動連結部を介して連結された支持板１２を設け、この支持板１２の後部を往復回動させて上下に振動させるように構成したマッサージ機が以下の特許文献３に記載されている。
【特許文献１】特開２００６−１２２１３６号公報
【特許文献２】特開２００６−１２２４４０号公報
【特許文献３】登録実用新案第３０６１５１６号公報
【発明の開示】
【発明が解決しようとする課題】
【０００５】
しかしながら、前述の特許文献１及び２に記載される着座式マッサージ機はいずれも着座面を上下方向や水平方向に振動若しくは揺動させることで、着座姿勢の身体に振動を与えてマッサージ効果を生じさせるようにするものであるが、水平姿勢の着座面全体を動作させるので、臀部を含む上半身下部のマッサージ効果は高いものの、きわめて高い駆動エネルギーを与えない限り、上腕部、肩部、首部の周辺を中心とする上半身上部に十分なマッサージ効果を与えることができないという問題点がある。特に、各文献に開示される例はいずれも背凭れ部を備えた椅子型のマッサージ機であるため、背凭れ姿勢で適用することにより、着座面から受ける振動や揺動の上半身上部への伝達がさらに抑制されてしまう。
【０００６】
また、前述の特許文献３に記載されるマッサージ機は、支持板上に立ち姿勢で乗った状態でマッサージを施すものであるので、きわめて高い駆動エネルギーを与えない限り、やはり上半身上部に十分なマッサージ効果を与えることが難しいという問題点がある。
【０００７】
そこで、本発明は上記問題点を解決するものであり、着座式マッサージ機において、上半身下部だけでなく上半身上部にも効率的にマッサージ効果を与えることができる構成を提供することにある。
【課題を解決するための手段】
【０００８】
斯かる実情に鑑み、本発明の着座式マッサージ機は、基台と、該基台の上方に配置され、着座面を有する可動体と、前記基台上に搭載され、前記可動体を振動若しくは揺動させる駆動機構と、を具備し、前記着座面の左右の斜め後方部分にグリップ部がそれぞれ設けられ、該グリップ部は平面視で前記可動体の前後方向より前方部分が外側に開く斜め方向へ伸びることを特徴とする。
【０００９】
この発明によれば、着座面の左右の後方部分においてグリップ部が可動体の前後方向より前方部分が外側に開く斜め方向へ伸びるように設けられることにより、着座面上に着座したユーザが左右の手で左右の後方部分のグリップ部を把持すると、ユーザの左右の手首の内側が斜め前方を向くので、手首が固定されるとともに、肘が内側に回旋して肘関節が屈折しにくくなると同時に肩関節も回動しにくくなるため、手首に与えられた振動若しくは揺動が上腕部を経て肩部や首部の周辺へ効率的に伝達されやすくなることから、上半身上部に振動若しくは揺動によるマッサージ効果を充分に与えることが可能になる。
【００１０】
本発明の一の態様においては、前記可動体は前方に配置された回動連結部を介して前記基台に対し回動可能に連結され、前記駆動機構は、前記可動体の後部を前記回動連結部を中心に往復回動させて上下に振動若しくは揺動させる。
【００１１】
これによれば、駆動機構により前方の回動連結部を介して可動体の後部が往復回動して上下方向に振動若しくは揺動するので、着座面の安定性を向上できるとともに、後方に設けられたグリップ部に対し効率的に振動若しくは揺動を与えることができるので、上半身上部に対するマッサージ効果をさらに高めることができる。また、同様の理由により、可動体全体を上下に振動若しくは揺動させる場合に比べると、着座面の安定性を確保するために必要な支持構造が簡易に構成でき、さらに、駆動力も低減できるので、製造コストを低減することができる。
【００１２】
特に、可動体の後部を下方より支持する弾性部材を設置することで、弾性部材の圧縮時の弾性力を利用して駆動機構により可動体を上方へ持上げるときの駆動力を低減することが可能になるため、駆動機構に対する負荷変動を低減できる。また、この弾性部材は駆動機構の駆動力が与えられる可動体の部位より後方において可動体を下方より支持することにより、可動体の安定性をさらに高めることができる。
【００１３】
本発明の他の態様においては、前記グリップ部はそれぞれ前記着座面より上方に配置される。これによれば、グリップ部を着座面より上方に配置することで、左右の手で左右のグリップ部を把持したときにユーザの腕の肘が若干後方へ屈折するので、これにより肘関節及び肩関節の自由度がさらに低下することから、腕を介した振動若しくは揺動の上半身上部への伝達性をさらに高めることができる。
【発明の効果】
【００１４】
本発明によれば、可動体の着座面上に着座した姿勢で、左右後方のグリップ部を左右の手で把持することで、可動体の振動若しくは揺動が左右の腕を介して上腕部、肩部、首部等の上半身上部に効率的に伝達されるようになるので、上半身上部に充分なマッサージ効果を与えることができるという優れた効果を奏し得る。
【発明を実施するための最良の形態】
【００１５】
以下、本発明の実施の形態を図示例と共に説明する。図１は本実施形態の着座式マッサージ機１０の前方斜視図、図２は同実施形態の右側面図、図３は同実施形態の平面図、図４は同実施形態の背面図である。
【００１６】
この着座式マッサージ機１０は、平板状の基台１１と、この基台１１の上方に配置された可動体１２と、基台１１上に形成され、可動体１２に振動若しくは揺動を与える駆動機構１３とを有する。基台１１は隅丸矩形状に構成され、この基台１１の上方に隅丸矩形状の可動体１２が平面的に重なるように配置されている。基台１１の上部には基台１１の外形より狭い平面範囲を有する筒状（図示例では隅丸矩形断面を有する矩形筒状）の下側ケース枠１１ｃが固定され、また、可動体１２の下部には可動体１２の外形より狭い平面範囲を有する筒状（図示例では隅丸矩形断面を有する矩形筒状）の上側ケース枠１２ｃが固定され、上記下側ケース枠１１ｃは上側ケース枠１２ｃの内部に余裕を持って挿入された状態とされる。
【００１７】
また、基台１１の前部には、下方から上方に突出し、後方に屈折した側面視Ｌ字状の操作部１１ｄが設けられ、この操作部１１ｄの上面には操作盤１１ｅが設けられている。操作盤１１ｅには各種のスイッチ、例えば、スタート／ストップを切り替えるためのメインスイッチＳＷ１、動作速度を高低切り替えるための速度スイッチＳＷ２、動作時間を長短切り替えるためのＳＷ３等が設けられる。
【００１８】
一方、可動体１２の上面には着座面１２ｄが設けられ、この着座面１２ｄは平坦に構成される。この着座面１２ｄにおいて可動体１２の表面は弾性を有する着座シート１２ｅで被覆されている。可動体１２の上部には前部１２ａから後方へ向けて着座面１２ｄの中央部手前まで切り込まれたＶ字状若しくはＵ字状の切り欠き部１２ｆが設けられ、この切り欠き部１２ｆによって上記操作部１１ｄの上面の操作盤１１ｅが上方へ露出した状態とされている。
【００１９】
可動体１２の後部１２ｂのうち着座面１２ｄに対し左右の斜め後方には着座面１２ｄより斜め方向に張り出し、かつ、着座面１２ｄより上方に突出した把持部１２ｇがそれぞれ設けられ、これらの把持部１２ｇには、図３に示すように、平面視で可動体１２の前後方向Ｆｐより前方部分が外側へ開く斜め方向Ｆａへ水平に伸びる軸状のグリップ部１２ｈがそれぞれ形成される。このグリップ部１２ｈはユーザが手で握る部分であり、把持部１２ｇにおいて斜め外側に向いた凹部１２ｉ内においてブリッジ状に架設された態様で設けられ、ユーザは凹部１２ｉによってグリップ部１２ｈの下側に確保された間隙に指を通した状態でグリップ部１２ｈを握ることができる。なお、上記前後方向Ｆｐは基本的に左右一対のグリップ部１２ｈの中心同士を結ぶ左右方向Ｆｂと直交する方向である。
【００２０】
図２に点線で示すように、可動体１２は、左右方向へ水平に伸びるように配置された回動軸１２ｘを中心とする回動連結部により基台１１に対して回動可能に連結され、これによって可動体１２の後部１２ｂが上下に回動可能となるように構成される。また、基台１１上には、上記下側ケース枠１１ｃ内において可動体１２を上下に振動若しくは揺動させるための駆動機構１３が設置されている。
【００２１】
図５は本実施形態から可動体１２を取り去った状態を示す斜視図、図６は本実施形態から可動体１２の外装ケースを取り去り、可動体１２の支持枠１２ｊを残した様子を示す斜視図である。なお、この支持枠１２ｊ上に可動体の外装ケースを固定することで、図１に示す状態となる。
【００２２】
図５に示すように、基台１１からは一対の支柱１１ｆが上方へ突出し、この支柱１１ｆの上部に上記回動軸１２ｘが支持されている。回動軸１２ｘは図６に示す支持枠１２ｊに設けられた通孔（図示せず）を挿通し、これによって支持枠１２ｊが回動軸１２ｘを中心に回動可能に連結される。
【００２３】
また、上記駆動機構１３においては、基台１１上に設置された駆動モータ１３ａと、駆動モータ１３ａの出力プーリ１３ｂ、駆動ベルト１３ｃ、従動プーリ１３ｄからなる伝動機構と、従動プーリ１３ｄに固定され、先端に偏心部を備えた駆動軸１３ｆと、この駆動軸１３ｆを回転可能に軸支する軸支体１３ｅとを有する。この駆動軸１３ｆの偏心部はリンク１３ｇの下部に回動可能に連結され、リンク１３ｇの上部には従動軸１３ｈが回動可能に連結されている。従動軸１３ｈは図６に示す支持枠１２ｊに設けられた軸支部１２ｋに回動可能に軸支されている。
【００２４】
また、支持枠１２ｊの後部の左右にはそれぞれコイルバネよりなる弾性部材１３ｉが基台１１との間に配置され、これらの弾性部材１３ｉによって支持枠１２ｊが弾性的に支持されている。これらの弾性部材１３ｉによる支持枠１２ｊの支持位置は、上記回動軸１２ｘから見て従動軸１３ｈよりも後方へ離間した位置に設定されている。
【００２５】
上記の構成により、支持枠１２ｊの前部が上記回動軸１２ｘによって基台１１に回動可能に連結されるとともに、後部の軸支部１２ｋが従動軸１３ｈを回動可能に軸支されているため、駆動モータ１３ａが稼動して駆動軸１３ｆが回転すると上記従動軸１３ｈが駆動軸１３ｆの偏心部の動作によってリンク１３ｇを介して上下に振動若しくは揺動するため、可動体１２の後部が上下に振動若しくは揺動する。
【００２６】
本実施形態では、図２に示すように、着座面１２ｄ上に臀部を載せ、可動体１２の前部１２ａの側を向いた姿勢で着座すると、ユーザの上半身に可動体１２の上下方向の振動若しくは揺動が与えられ、これによって上半身にマッサージ効果が与えられる。
【００２７】
このとき、駆動軸１３ｆの回転により偏心部が下方に移動すると、弾性部材１３ｉが圧縮され、この圧縮力は駆動軸１３ｆの偏心部の上昇時に解放されるので、着座面１２ｄ上にユーザが着座してその体重を受けた状態でも、駆動機構１３にかかる負荷変動が抑制され、必要とされる駆動力を低減することができる。これは製造コストの低減にも役立つ。
【００２８】
本実施形態では、上記の着座姿勢で左右の手で左右後方部分のグリップ部１２ｈを握ることにより、ユーザの左右の手首が斜め前方を向くことになるため、手首が逆向きに屈折した状態で固定される。また、これにより、肘が後方において内側（わき腹の側）に回旋するので、肘間接の自由度が低下し、肩間接も回動しにくくなる。特に、本実施形態ではグリップ部１２ｈが着座面１２ｄより上方に（２〜５ｃｍ程度上方に）配置されているので、肘間接が強制的に僅かに屈折した状態となることから、肘間接及び肩間接の自由度はさらに低下する。
【００２９】
上記の状態で、可動体１２が上下に振動若しくは揺動すると、グリップ部１２ｈ上に配置された手首から可動体１２の振動若しくは揺動が腕へ効率的に伝達され、上腕部及び肩部を介して首部周辺へ効率的に広がる。また、肘関節や上腕部がそれらの内側への回旋によりわき腹に押し付けられた状態になると、振動若しくは揺動は肘関節や上腕からも上半身に伝達される。したがって、従来のマッサージ機のようにマッサージ効果が臀部を含む上半身下部のみに与えられるのではなく、腕から肩を経て上半身上部の広い範囲にマッサージ効果が与えられる。特に、脂肪が付きやすい上腕部、凝りが発生しやすい肩部や首部に充分なマッサージ効果を与えることができる。
【００３０】
本実施形態では、グリップ部１２ｈは、可動体１２の左右の後方部分において平面視で前後方向Ｆｐに対して前方部分が外側へ開く斜め方向Ｆａに伸びるように形成されているので、上記のように腕を介して効率的に上半身全体にマッサージ効果を与えることができる。このとき、グリップ部１２ｈの延在方向Ｆａは、図示の前後方向Ｆｐと左右方向Ｆｂとの間の角度範囲Ｆｘ内、すなわち、前後方向Ｆｐに対して外側へ開く方向の角度θが０度を越え、９０度未満であればよい。これは、θが０度（すなわち前後方向Ｆｐにグリップ部が延在する場合）には上記の手首の固定作用、肘関節や肩関節の自由度を抑制する作用が不十分となるからであり、θが９０度以上では上腕や肘が内側に回旋しすぎて肘関節及び肩関節の許容範囲ぎりぎりとなり、各関節部に無理が生じやすくなるとともに、ユーザがリラックスして使用できなくなるからである。
【００３１】
なお、上半身のマッサージ効果を高める上では上記角度θは２５〜８０度の範囲内が好ましく、３０〜７０度の範囲内がさらに望ましい。また、着座面１２ｄに着座したユーザの自然な姿勢において左右の腕を垂らし、腕をやや後方へ移動させながら手首を僅かに回転させて手首の内側が斜め前方を向くようにして手でグリップ部１２ｈを掴むことができるため、スムーズで自然な把持が可能となる範囲としては、上記角度θが５〜６０度の範囲内であることが好ましく、特に１０〜４０度の範囲内であることが望ましい。上記のマッサージ効果とユーザの使用感を勘案して全体として考えると、上記角度θは２５〜６０度であることが好ましく、特に３０〜４０度の範囲が望ましい。
【００３２】
また、グリップ部１２ｈは完全に水平に伸びることが好ましいが、多少上下に傾いていても上記効果を妨げるものではない。例えば、傾斜角としては１０度未満であればほとんど影響はなく、３０度以下であれば上記効果には影響が出るが、効果そのものが損なわれることはない。この場合、若干ではあるが、グリップ部の前方部分が高くなるように傾斜していると上記角度θを大きくした場合と同様に作用し、グリップ部の後方部分が高くなるように傾斜していると上記角度θを小さくした場合と同様に作用する傾向にある。
【００３３】
さらに、グリップ部１２ｈの高さ（グリップ部の最上部の高さ）は着座面１２ｄと同様、或いは、着座面１２ｄより多少であれば低くてもよいが、上述のように肘関節をやや屈折させて肘関節及び肩関節の自由度をさらに低下させる上では、着座面１２ｄより１〜１０ｃｍ程度高くすることが好ましく、特に２〜５ｃｍ程度高くすることが望ましい。
【００３４】
尚、本発明の着座式マッサージ機は、上述の図示例にのみ限定されるものではなく、本発明の要旨を逸脱しない範囲内において種々変更を加え得ることは勿論である。例えば、上記図示例では床面に設置されたときの着座面の高さが１０〜２０ｃｍ程度となるように構成されるマッサージ機を示したが、例えば、椅子やスツールのように着座面の高さが床面より４０〜７０ｃｍ程度とすることも可能であり、さらには背凭れ部を備えた椅子や座椅子のように構成してもよい。背凭れ部へ凭れ掛かると可動体の振動若しくは揺動によるマッサージ効果そのものは低下するが、背凭れ部へ凭れ掛かるか否かはユーザの意思次第であり、背凭れ部に凭れ掛からずに高いマッサージ効果を得ること自体が阻害されるわけではないからである。
【図面の簡単な説明】
【００３５】
【図１】本実施形態の着座式マッサージ機の概略斜視図。
【図２】同実施形態の右側面図。
【図３】同実施形態の平面図。
【図４】同実施形態の背面図。
【図５】同実施形態の可動体を除去した状態を示す概略斜視図。
【図６】同実施形態の図５に示す状態から可動体の支持枠を取り付けた状態を示す概略斜視図。
【符号の説明】
【００３６】
１０…着座式マッサージ機、１１…基台、１２…可動体、１２ｄ…着座面、１２ｈ…グリップ部、１２ｘ…回転軸、１３…駆動機構
【図１】
2010046217.tif 000003
【図２】
2010046217.tif 000004
【図３】
2010046217.tif 000005
【図４】
2010046217.tif 000006
【図５】
2010046217.tif 000007
【図６】
2010046217.tif 000008